【手続補正書】
【提出日】平成18年3月15日(2006.3.15)
【手続補正１】
【補正対象書類名】明細書
【補正対象項目名】発明の名称
【補正方法】変更
【補正の内容】
【発明の名称】画像処理装置及び方法
【手続補正２】
【補正対象書類名】明細書
【補正対象項目名】特許請求の範囲
【補正方法】変更
【補正の内容】
【特許請求の範囲】
【請求項１】  入力される文書画像に類似する画像を登録データから検索する画像処理装置において、
前記文書画像と登録データの類似度を算出する類似度算出手段と、
前記類似度算出手段による算出の結果、前記文書画像との類似度が所定の値より高いと判定された登録データを印刷するよう制御する印刷制御手段と、
を有することを特徴とする画像処理装置。
【請求項２】  入力される文書画像に類似する画像を登録データから検索する画像処理装置において、
前記文書画像と登録データの類似度を算出する類似度算出手段と、
前記類似度算出手段による算出の結果、前記文書画像との類似度が下も高い登録データの類似度と次に類似度が高い登録データの類似度との差が所定の値より大きいと判定された登録データを印刷するよう制御する印刷制御手段と、
を有することを特徴とする画像処理装置。
【請求項３】  前記文書画像との類似度が前記所定の値より高いと判定された登録データがない場合、複数の登録データを類似度に基づいて一覧表示する一覧表示手段を更に有することを特徴とする請求項１に記載の画像処理装置。
【請求項４】  前記文書画像との類似度が最も高い登録データの類似度と次に類似度が高い登録データの類似度との差が前記所定の値よりも大きくない場合に、複数の登録データを類似度に基づいて一覧表示する一覧表示手段を更に有することを特徴とする請求項２記載の画像処理装置。
【請求項５】  前記所定の値を設定する値設定手段を更に有することを特徴とする請求項１又は２の何れかに記載の画像処理装置。
【請求項６】  入力される文書画像に類似する画像を登録データから検索する画像処理装置において、
前記文書画像と登録データの類似度を算出する類似度算出手段と、
前記類似度算出手段による算出の結果、前記文書画像との類似度が所定の値より高いと判定された登録データを送信するよう制御する送信制御手段と、
を有することを特徴とする画像処理装置。
【請求項７】  入力される文書画像に類似する画像を登録データから検索する画像処理装置において、
前記文書画像と登録データの類似度を算出する類似度算出手段と、
前記類似度算出手段による算出の結果、前記文書画像との類似度が下も高い登録データの類似度と次に類似度が高い登録データの類似度との差が所定の値より大きいと判定された登録データを送信するよう制御する送信制御手段と、
を有することを特徴とする画像処理装置。
【請求項８】  入力される文書画像に類似する画像を登録データから検索する画像処理方法において、
前記文書画像と登録データの類似度を算出する類似度算出ステップと、
前記類似度算出ステップによる算出の結果、前記文書画像との類似度が所定の値より高いと判定された登録データを印刷するよう制御する印刷制御ステップと、
を有することを特徴とする画像処理方法。
【請求項９】  入力される文書画像に類似する画像を登録データから検索する画像処理方法において、
前記文書画像と登録データの類似度を算出する類似度算出ステップと、
前記類似度算出ステップによる算出の結果、前記文書画像との類似度が下も高い登録データの類似度と次に類似度が高い登録データの類似度との差が所定の値より大きいと判定された登録データを印刷するよう制御する印刷制御ステップと、
を有することを特徴とする画像処理方法。
【請求項１０】  入力される文書画像に類似する画像を登録データから検索する画像処理方法において、
前記文書画像と登録データの類似度を算出する類似度算出ステップと、
前記類似度算出ステップによる算出の結果、前記文書画像との類似度が所定の値より高いと判定された登録データを送信するよう制御する送信制御ステップと、
を有することを特徴とする画像処理方法。
【請求項１１】  入力される文書画像に類似する画像を登録データから検索する画像処理方法において、
前記文書画像と登録データの類似度を算出する類似度算出ステップと、
前記類似度算出ステップによる算出の結果、前記文書画像との類似度が下も高い登録データの類似度と次に類似度が高い登録データの類似度との差が所定の値より大きいと判定された登録データを送信するよう制御する送信制御ステップと、
を有することを特徴とする画像処理方法。
【請求項１２】  請求項８乃至１１の何れか１項に記載の画像処理方法に記載の各ステップをコンピュータに実行させるためのプログラムコードからなるコンピュータプログラム。
【手続補正３】
【補正対象書類名】明細書
【補正対象項目名】０００５
【補正方法】変更
【補正の内容】
【０００５】
【課題を解決するための手段】
上記課題を解決するための、本発明は、入力される文書画像に類似する画像を登録データから検索する画像処理装置において、前記文書画像と登録データの類似度を算出する類似度算出手段と、前記類似度算出手段による算出の結果、前記文書画像との類似度が所定の値より高いと判定された登録データを印刷するよう制御する印刷制御手段と、を有することを特徴とする画像処理装置を提供する。
また、本発明は、入力される文書画像に類似する画像を登録データから検索する画像処理装置において、前記文書画像と登録データの類似度を算出する類似度算出手段と、前記類似度算出手段による算出の結果、前記文書画像との類似度が下も高い登録データの類似度と次に類似度が高い登録データの類似度との差が所定の値より大きいと判定された登録データを印刷するよう制御する印刷制御手段と、を有することを特徴とする画像処理装置を提供する。
【手続補正４】
【補正対象書類名】明細書
【補正対象項目名】０００６
【補正方法】変更
【補正の内容】
【０００６】
また、本発明は、入力される文書画像に類似する画像を登録データから検索する画像処理装置において、前記文書画像と登録データの類似度を算出する類似度算出手段と、前記類似度算出手段による算出の結果、前記文書画像との類似度が所定の値より高いと判定された登録データを送信するよう制御する送信制御手段と、を有することを特徴とする画像処理装置を提供する。
また、本発明は、入力される文書画像に類似する画像を登録データから検索する画像処理装置において、前記文書画像と登録データの類似度を算出する類似度算出手段と、前記類似度算出手段による算出の結果、前記文書画像との類似度が下も高い登録データの類似度と次に類似度が高い登録データの類似度との差が所定の値より大きいと判定された登録データを送信するよう制御する送信制御手段と、を有することを特徴とする画像処理装置を提供する。
【手続補正５】
【補正対象書類名】明細書
【補正対象項目名】０００７
【補正方法】変更
【補正の内容】
【０００７】
更に、本発明は、入力される文書画像に類似する画像を登録データから検索する画像処理方法において、前記文書画像と登録データの類似度を算出する類似度算出ステップと、前記類似度算出ステップによる算出の結果、前記文書画像との類似度が所定の値より高いと判定された登録データを印刷するよう制御する印刷制御ステップと、を有することを特徴とする画像処理方法を提供する。
また、本発明は、入力される文書画像に類似する画像を登録データから検索する画像処理方法において、前記文書画像と登録データの類似度を算出する類似度算出ステップと、前記類似度算出ステップによる算出の結果、前記文書画像との類似度が下も高い登録データの類似度と次に類似度が高い登録データの類似度との差が所定の値より大きいと判定された登録データを印刷するよう制御する印刷制御ステップと、を有することを特徴とする画像処理方法を提供する。
【手続補正６】
【補正対象書類名】明細書
【補正対象項目名】０００８
【補正方法】変更
【補正の内容】
【０００８】
また、本発明は、入力される文書画像に類似する画像を登録データから検索する画像処理方法において、前記文書画像と登録データの類似度を算出する類似度算出ステップと、前記類似度算出ステップによる算出の結果、前記文書画像との類似度が所定の値より高いと判定された登録データを送信するよう制御する送信制御ステップと、を有することを特徴とする画像処理方法を提供する。
また、本発明は、入力される文書画像に類似する画像を登録データから検索する画像処理方法において、前記文書画像と登録データの類似度を算出する類似度算出ステップと、前記類似度算出ステップによる算出の結果、前記文書画像との類似度が下も高い登録データの類似度と次に類似度が高い登録データの類似度との差が所定の値より大きいと判定された登録データを送信するよう制御する送信制御ステップと、を有することを特徴とする画像処理方法を提供する。
【手続補正７】
【補正対象書類名】明細書
【補正対象項目名】０００９
【補正方法】変更
【補正の内容】
【０００９】
また、本発明は、画像処理方法に記載の各ステップをコンピュータに実行させるためのプログラムコードからなるコンピュータプログラムを提供する。